【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
記録液収納部を備えた記録液収納容器と、該記録液収納容器が装着される装着部を備えた記録装置本体と、を備えた記録装置において、
前記記録液収納容器は、前記記録液収納部の一部が記録液の減少によって変形する可撓性シート部材で構成されており、この可撓性シート部材の記録液の減少によって変形する箇所に取り付けられ記録液収納容器内での位置が変位する通信モジュールを備えており、
前記記録装置本体は前記通信モジュールと無線通信を行う通信アンテナと、前記通信手段と電磁気的に相互作用して前記通信モジュールの位置に応じて前記通信モジュールの通信の成否に影響を与える擬似アンテナと、を備えており、
通信モジュール、疑似アンテナ、通信アンテナの位置関係による通信モジュールの通信の成否から前記記録液収納容器に収納された記録液の量を判定することを特徴とする記録装置。
【請求項２】
通信周波数は１３．５６ＭＨｚであることを特徴とする請求項１に記載の記録装置。
【請求項３】
前記通信手段は第１のコイルアンテナを含み、前記通信アンテナから送られてくる無線信号の電磁誘導によって前記第１のコイルアンテナに発生する電流から得られる電力によって作動し、
前記擬似アンテナは第２のコイルアンテナを含み、記録液の減少によって前記第１のコイルアンテナとの距離が短くなると、前記無線信号によって前記第１のアンテナに発生する電磁誘導による電流を小さくする請求項１に記載の記録装置。
【請求項４】
前記第２のコイルアンテナを構成する導線の端部同士を開閉することによって、前記擬似アンテナを、前記第１のコイルアンテナと相互作用する有効な状態と、相互作用しない無効な状態とに切換える切換手段を有することを特徴とする請求項２に記載の記録装置。
【請求項５】
前記制御手段は、前記通信アンテナから無線信号を送り、前記無線信号に対する前記通信手段からの返信の有無に応じて、前記記録液収納容器の記録液の残量を判定する請求項１に記載の記録装置。
【請求項６】
前記制御手段は前記通信アンテナから複数回の無線信号を送り、前記無線信号の送信の回数に対する前記通信手段からの返信の回数の比があらかじめ定められた閾値より小さいときに前記記録液があらかじめ定められた量以下であると判定する請求項１に記載の記録装置。
【請求項７】
前記制御手段は前記通信アンテナから複数回の無線信号を送り、前記無線信号に対する前記通信手段からの返信が連続した回数の比があらかじめ定められた閾値より小さいときに前記記録液があらかじめ定められた量以下である判定する請求項１に記載の記録装置。
【請求項８】
前記通信アンテナから前記通信手段に向けて送られる無線信号の出力を調整する手段を有している請求項１に記載の記録装置。
【請求項９】
前記第１のコイルアンテナと、前記擬似アンテナ、および前記通信アンテナのうち、少なくとも一つのアンテナは、前記記録液の減少による変位とは別に、相対的に移動可能な移動手段を備え、さらに前記移動手段によって相対的に変位した変位距離を検出する手段を備えることを特徴とする請求項１に記載の記録装置。
【請求項１０】
前記制御手段は、前記通信手段の通信の成否と、移動したアンテナの変位距離から前記記録液収納容器に収納された記録液の量を判定する請求項１に記載の記録装置。
【請求項１１】
前記擬似アンテナは、前記通信手段が含むアンテナと大きさ、形状が略等しいことを特徴とする、請求項１に記載の記録装置。
【請求項１２】
記録液収納部を備えた記録液収納容器において、
前記記録液収納容器は、前記記録液収納部の一部が記録液の減少によって変形する可撓性シート部材で構成されており、この可撓性シート部材の記録液の減少によって変形する箇所に取り付けられ記録液収納容器内での位置が変位する通信モジュールを備えていることを特徴とする記録液収納容器。
【請求項１３】
記録液収納容器は、それが装着される装着部を備え、前記通信モジュールと無線通信を行う通信アンテナと、前記通信手段と電磁気的に相互作用して前記通信モジュールの位置に応じて前記通信モジュールの通信の成否に影響を与える擬似アンテナと、を備えたインクジェット記録装置に対して着脱可能であり、
前記通信モジュールは第１のコイルアンテナを含み、前記通信アンテナから送られてくる無線信号の電磁誘導によって前記第１のコイルアンテナに発生する電流から得られる電力によって作動する請求項１２に記載の記録液収納容器。
【請求項１４】
前記第１のコイルアンテナは記録液の減少によって前記擬似アンテナに近づくように構成され、前記擬似アンテナとの距離が短くなると、前記擬似アンテナに含まれる第２のコイルアンテナによって前記第１のアンテナに発生する電磁誘導による電流が小さくなる請求項１３に記載の記録液収納容器。
【請求項１５】
前記擬似アンテナは記録液収納容器外面に備えられ、前記擬似アンテナを構成する導線の端子であって、かつ、前記擬似アンテナを、前記第１のコイルアンテナと相互作用する有効な状態と、相互作用しない無効な状態とに切換える切換手段の配線と接続するための端子を有し、前記第１のコイルアンテナは記録液の減少によって前記擬似アンテナに近づくように構成され、前記擬似アンテナとの距離が短くなると、前記擬似アンテナに含まれる第２のコイルアンテナによって前記第１のアンテナに発生する電磁誘導による電流が小さくなる請求項１４に記載の記録液収納容器。
【請求項１６】
収納する記録液の量に応じて位置が変わる通信手段を有する記録液収納容器と、前記通信手段と無線通信を行う通信アンテナと、有効に切り替えると前記記録液収納容器に収納された記録液が減少することによって位置が変化した前記通信手段と電磁気的に相互作用して、前記通信手段の位置に応じて前記通信手段の通信の成否に影響を与える擬似アンテナと、を備え、
前記擬似アンテナを前記切り替え手段により、有効に切り替え、
記録装置に取り付けられた記録液収納容器の記録液収納部に備えられた通信手段に向けて、該記録液収納部を挟む位置から無線信号を送る送信ステップと、
前記無線信号に対する前記通信手段からの返信の有無を判定する受信ステップと、
前記判定に応じて、前記記録液収納部の内部における記録液の残量を判定する判定ステップと、
を有することを特徴とする記録液残量判定方法。
【請求項１７】
前記移動手段によって相対的に変位した変位距離を検出する手段と、前記記録液の残量を記憶する記憶手段をさらに備え、
前記記憶手段から記録液の残量を読み込む読み込みステップと、
前記記憶手段から読み込んだ前記記録液の残量に応じた位置に前記一つのアンテナを移動させる移動ステップと、
をさらに備えたことを特徴とする請求項１６に記載の記録液残量判定方法。
【請求項１８】
前記判定ステップで判定された記録液の残量を前記記憶手段に記憶するステップをさらに備えたことを特徴とする請求項１６に記載の記録液残量判定方法。
【請求項１９】
前記送信ステップは、複数回の同一信号強度の無線信号を送ることを含み、
前記受信ステップは、前記無線信号の送信回数に対する返信のあった回数の比を求めることを含み、
前記判定ステップは、前記比があらかじめ定められた閾値より小さいときに前記記録液があらかじめ定められた量以下であると判定することを含むことを特徴とする請求項１６に記載の記録液残量判定方法。
【請求項２０】
前記送信ステップは、複数回の同一信号強度の無線信号を送ることを含み、
前記受信ステップは、前記無線信号に対して連続して返信のあった回数を求めることを含み、
前記判定ステップは、前記回数があらかじめ定められた閾値より少なかったときに前記記録液があらかじめ定められた量以下であると判定することを含むことを特徴とする請求項１６に記載の記録液残量判定方法。
【手続補正２】
【補正対象書類名】明細書
【補正対象項目名】００１３
【補正方法】変更
【補正の内容】
【００１３】
上記課題を解消するための、本発明は以下の構成を有する。
すなわち、本発明の第１の形態は記録装置にかかるものであり、記録液収納部を備えた記録液収納容器と、該記録液収納容器が装着される装着部を備えた記録装置本体と、を備えた記録装置において、
前記記録液収納容器は、前記記録液収納部の一部が記録液の減少によって変形する可撓性シート部材で構成されており、この可撓性シート部材の記録液の減少によって変形する箇所に取り付けられ記録液収納容器内での位置が変位する通信モジュールを備えており、
前記記録装置本体は前記通信モジュールと無線通信を行う通信アンテナと、前記通信手段と電磁気的に相互作用して前記通信モジュールの位置に応じて前記通信モジュールの通信の成否に影響を与える擬似アンテナと、を備えており、
通信モジュール、疑似アンテナ、通信アンテナの位置関係による通信モジュールの通信の成否から前記記録液収納容器に収納された記録液の量を判定することを特徴とする。
【手続補正３】
【補正対象書類名】明細書
【補正対象項目名】００１４
【補正方法】変更
【補正の内容】
【００１４】
本発明の第２の形態は記録液収納容器にかかるものであり、記録液収納記録液収納部を備えた記録液収納容器において、
前記記録液収納容器は、前記記録液収納部の一部が記録液の減少によって変形する可撓性シート部材で構成されており、この可撓性シート部材の記録液の減少によって変形する箇所に取り付けられ記録液収納容器内での位置が変位する通信モジュールを備えていることを特徴とする。
【手続補正４】
【補正対象書類名】明細書
【補正対象項目名】００１５
【補正方法】変更
【補正の内容】
【００１５】
本発明の第３の形態は記録液残量判定方法にかかるものであり、収納する記録液の量に応じて位置が変わる通信手段を有する記録液収納容器と、前記通信手段と無線通信を行う通信アンテナと、有効に切り替えると前記記録液収納容器に収納された記録液が減少することによって位置が変化した前記通信手段と電磁気的に相互作用して、前記通信手段の位置に応じて前記通信手段の通信の成否に影響を与える擬似アンテナと、を備え、
前記擬似アンテナを前記切り替え手段により、有効に切り替え、
記録装置に取り付けられた記録液収納容器の記録液収納部に備えられた通信手段に向けて、該記録液収納部を挟む位置から無線信号を送る送信ステップと、
前記無線信号に対する前記通信手段からの返信の有無を判定する受信ステップと、
前記判定に応じて、前記記録液収納部の内部における記録液の残量を判定する判定ステップと、
を有することを特徴とする。
【手続補正５】
【補正対象書類名】明細書
【補正対象項目名】００１６
【補正方法】削除
【補正の内容】